(57)【要約】【課題】複数の負荷装置への給電をより適切に行う。【解決手段】UPS１１１Ａの電力供給回路１２１Ａは、複数の出力系統１２２Ａ１乃至１２２Ａ３を介して、複数の負荷装置１１２Ａ１乃至１１２Ａ３への給電を行う。出力系統１２２Ａ１は、出力系統１２２Ａ１からの出力電力の測定を行う電力測定回路１３１Ａ１、および、出力系統１２２Ａ１からの出力をオンまたはオフするスイッチ１３２Ａ１を備え、出力系統１２２Ａ２は、出力系統１２２Ａ２からの出力電力の測定を行う電力測定回路１３１Ａ２、および、出力系統１２２Ａ２からの出力をオンまたはオフするスイッチ１３２Ａ２を備え、出力系統１２２Ａ３は、出力系統１２２Ａ３からの出力電力の測定を行う電力測定回路１３１Ａ３、および、出力系統１２２Ａ２からの出力をオンまたはオフするスイッチ１３２Ａ３を備えている。本発明は、無停電電源装置に適用できる。【選択図】図２
2010088170.tif 000002
【特許請求の範囲】
【請求項１】
複数の出力系統を備える無停電電源装置において、
それぞれの前記出力系統において、
前記出力系統からの出力を測定する測定手段と、
前記出力系統からの出力をオンまたはオフする開閉手段と
を備えることを特徴とする無停電電源装置。
【請求項２】
前記出力系統からの出力の測定結果を前記出力系統毎に分けて表示するように制御する表示制御手段を
さらに備えることを特徴とする請求項１に記載の無停電電源装置。
【請求項３】
前記表示制御手段は、ユーザにより指定された時間単位で、前記出力系統毎の出力の測定結果を表示するように制御する
ことを特徴とする請求項１に記載の無停電電源装置。
【請求項４】
前記表示制御手段の制御の基に、前記出力系統毎の出力の測定結果を表示する表示手段を
さらに備えることを特徴とする請求項２に記載の無停電電源装置。
【請求項５】
前記出力系統からの出力の測定結果を前記出力系統毎に分けて示すデータを生成し、出力する生成手段を
さらに備えることを特徴とする請求項１に記載の無停電電源装置。
【請求項６】
前記測定手段による出力の測定結果に基づいて、複数の前記出力系統の前記開閉手段の開閉を個別に制御する出力制御手段を
さらに備えることを特徴とする請求項１乃至５のいずれかに記載の無停電電源装置。
【請求項７】
前記出力制御手段は、出力の異常が検出された場合、異常が検出された前記出力系統の前記開閉手段を開き、その前記出力系統からの出力をオフするように制御する
ことを特徴とする請求項６に記載の無停電電源装置。
【請求項８】
複数の出力系統を備える無停電電源装置であって、それぞれの前記出力系統において、前記出力系統からの出力を測定する測定手段と、前記出力系統からの出力をオンまたはオフする開閉手段とを備える無停電電源装置の前記出力系統からの出力の測定結果を前記出力系統毎に分けて表示する表示手段を
備えることを特徴とする情報処理装置。
【請求項９】
複数の出力系統を備える無停電電源装置、および、情報処理装置を備える無停電電源管理システムにおいて、
前記無停電電源装置は、それぞれの前記出力系統において、
前記出力系統からの出力を測定する測定手段と、
前記出力系統からの出力をオンまたはオフする開閉手段と
を備え、
前記情報処理装置は、
前記無停電電源装置の前記出力系統からの出力の測定結果を前記出力系統毎に分けて表示する表示手段を
備えることを特徴とする無停電電源管理システム。
【発明の詳細な説明】
【技術分野】
【０００１】
本発明は、無停電電源装置、情報処理装置、並びに無停電電源管理システムに関し、特に、複数の負荷装置への給電をより適切に行うことができるようにした無停電電源装置、情報処理装置、並びに無停電電源管理システムに関する。
【背景技術】
【０００２】
図１は、従来のUPS（Uninterruptible Power Supply，無停電電源装置）を用いた情報処理システムの構成の一例を示している。
【０００３】
図１の情報処理システム１は、UPS１１Ａ乃至１１Ｃ、負荷装置１２Ａ１乃至１２Ｃ３、および、情報処理装置１３により構成される。UPS１１Ａ乃至１１Ｃは、図示せぬ交流電源に接続されている。また、負荷装置１２Ａ１乃至１２Ａ３はUPS１１Ａに接続され、負荷装置１２Ｂ１乃至１２Ｂ３はUPS１１Ｂに接続され、負荷装置１２Ａ１乃至１２Ａ３はUPS１１Ｃに接続されている。さらに、UPS１１Ａ乃至１１Ｃは、それぞれ情報処理装置１３に接続されている。
【０００４】
ここで、UPS１１Ａの構成について説明する。UPS１１Ａは、電力供給回路２１Ａ、負荷容量監視回路２２Ａ、スイッチ２３Ａ、および、３つの出力端子２４Ａ１乃至２４Ａ３を含むように構成される。また、出力端子２４Ａ１乃至２４Ａ３には、負荷装置１２Ａ１乃至１２Ａ３がそれぞれ接続されている。
【０００５】
電力供給回路２１Ａは、UPS１１Ａの本体部であり、負荷装置１２Ａ１乃至１２Ａ３への給電を行う。具体的には、電力供給回路２１Ａは、図示せぬ交流電源に接続され、交流電源からの電力の供給を受ける。その交流電源から電力が正常に供給されている場合、電力供給回路２１Ａは、スイッチ２３Ａおよび出力端子２４Ａ１乃至２４Ａ３を介して、交流電源からの電力を負荷装置１２Ａ１乃至１２Ａ３に供給するとともに、内蔵するバッテリ（不図示）の充電を行う。一方、停電や電圧の異常（電圧低下または上昇）などの交流電源から供給される電力の異常が発生した場合、電力供給回路２１Ａは、バッテリに蓄積されている電力をインバータ（不図示）により交流に変換し、スイッチ２３Ａおよび出力端子２４Ａ１乃至２４Ａ３を介して、負荷装置１２Ａ１乃至１２Ａ３に供給する。
【０００６】
負荷容量監視回路２２Ａは、負荷装置１２Ａ１乃至１２Ａ３に供給される電力量の合計を監視する。そして、例えば、負荷側で短絡が発生し、負荷装置１２Ａ１乃至１２Ａ３に供給される電力量の合計が電力供給回路２１Ａの能力を超えたことが検出された場合、スイッチ２３Ａがオフされ、負荷装置１２Ａ１乃至１２Ａ３への給電が停止する。
【０００７】
なお、UPS１１ＢおよびUPS１１Ｃも、UPS１１Ａと同様の構成を有しており、その説明は繰り返しになるので省略する。
【０００８】
情報処理装置１３は、通信インタフェース（I/F）２５Ａ乃至２５Ｃを介して、UPS１１Ａ乃至１１Ｃの各種の設定項目の設定を行ったり、UPS１１Ａ乃至１１Ｃに起動または停止の指令を与えたりする。また、情報処理装置１３は、ユーザによる設定などに基づいて、負荷装置１２Ａ１乃至１２Ｃ３のうち電源をオフするときにシャットダウン処理を行う必要がある装置に対して、所定のタイミングでシャットダウンの実行を指令する。
【０００９】
また、UPS１１Ａ乃至１１Ｃのように、複数の負荷装置への給電を行うUPSとして、停電時に、接続されている各負荷装置の消費電流を測定し、負荷装置毎に個別に起動待ち状態になったことを確認してから給電を停止するものが提案されている（例えば、特許文献１参照）。
【００１０】
【特許文献１】特開平５−２２７６８０号公報
【発明の開示】
【発明が解決しようとする課題】
【００１１】
ところで、昨今、地球温暖化対策を推進するために、UPSの負荷装置の使用電力を監視したり、監視結果に基づき負荷装置の電源のオンまたはオフをきめ細かく制御したりすることが求められている。
【００１２】
しかしながら、例えば、図１のUPS１１Ａでは、出力端子２４Ａ１乃至２４Ａ３から出力される電力を個別に監視することはできない。また、UPS１１Ａでは、出力端子２４Ａ１乃至２４Ａ３からの電力の出力を一斉にオンまたはオフすることしかできない。従って、負荷装置１２Ａ１乃至１２Ａ３の消費電力を個別に監視したり、負荷装置１２Ａ１乃至Ａ３への給電を個別に制御するには、それ専用の機器を別に設ける必要がある。これは、UPS１１ＢおよびUPS１１Ｃについても同様である。
【００１３】
また、特許文献１に記載の発明では、停電時にしか、各負荷装置の消費電流を測定し、UPSから各負荷装置への給電を制御することしか考慮されていない。
【００１４】
本発明は、このような状況に鑑みてなされたものであり、UPSから複数の負荷装置への給電をより適切に行うことができるようにするものである。
【課題を解決するための手段】
【００１５】
本発明の第１の側面の無停電電源装置は、複数の出力系統を備える無停電電源装置において、それぞれの出力系統において、出力系統からの出力を測定する測定手段と、出力系統からの出力をオンまたはオフする開閉手段とを備える。
【００１６】
本発明の第１の側面においては、無停電電源装置の各出力系統からの出力が測定され、各出力系統からの出力がオンまたはオフされる。
【００１７】
従って、無停電電源装置に接続されている負荷装置の消費電力を出力系統毎に把握することができるとともに、各負荷装置への給電を出力系統毎に制御することができる。その結果、無停電電源装置から複数の負荷装置への給電をより適切に行うことができる。
【００１８】
この測定手段は、例えば、電力測定回路や電力測定器により構成される。また、この開閉手段は、例えば、スイッチ、リレー、コンタクタなどの開閉機器により構成される。
【００１９】
この無停電電源装置には、出力系統からの出力の測定結果を出力系統毎に分けて表示するように制御する表示制御手段をさらに設けることができる。
【００２０】
これにより、無停電電源装置に接続されている負荷装置の消費電力を、簡単に出力系統毎に把握することができる。
【００２１】
この表示制御手段は、例えば、CPU（Central Processing Unit）、MPU（Micro Processing Unit）などの演算装置により構成される。
【００２２】
この表示制御手段には、ユーザにより指定された時間単位で、出力系統毎の出力の測定結果を表示するように制御させることができる。
【００２３】
これにより、無停電電源装置に接続されている負荷装置の消費電力を、所望の時間単位で出力系統毎に把握することができる。
【００２４】
この無停電電源装置には、表示制御手段の制御の基に、出力系統毎の出力の測定結果を表示する表示手段をさらに設けることができる。
【００２５】
これにより、他の装置を用いずに、無停電電源装置の出力系統毎の出力の測定結果を表示することができ、より簡単に無停電電源装置に接続されている負荷装置の消費電力を出力系統毎に把握することができる。
【００２６】
この表示手段は、例えば、LCD（Liquid Crystal Display）、PDP（Plasma Display Panel）などの表示装置により構成される。
【００２７】
この無停電電源装置には、出力系統からの出力の測定結果を出力系統毎に分けて示すデータを生成し、出力する生成手段をさらに設けることができる。
【００２８】
これにより、無停電電源装置に接続されている負荷装置の消費電力の測定結果を出力系統毎に分けて示すデータを、配布したり他の装置において利用したりすることができる。
【００２９】
この生成手段は、例えば、CPU（Central Processing Unit）、MPU（Micro Processing Unit）などの演算装置により構成される。
【００３０】
この無停電電源装置には、測定手段による出力の測定結果に基づいて、複数の出力系統の開閉手段の開閉を個別に制御する出力制御手段をさらに設けることができる。
【００３１】
これにより、無停電電源装置に接続されている負荷装置の稼動状態に応じて、負荷装置毎に給電の有無を自動的に制御することができる。
【００３２】
この出力制御手段は、例えば、CPU（Central Processing Unit）、MPU（Micro Processing Unit）などの演算装置により構成される。
【００３３】
この出力制御手段には、出力の異常が検出された場合、異常が検出された出力系統の開閉手段を開き、その出力系統からの出力をオフするように制御させることができる。
【００３４】
これにより、正常に稼動している負荷装置への給電を継続したまま、異常が発生した負荷装置への給電を停止することができる。
【００３５】
本発明の第２の側面の情報処理装置は、複数の出力系統を備える無停電電源装置であって、それぞれの出力系統において、出力系統からの出力を測定する測定手段と、出力系統からの出力をオンまたはオフする開閉手段とを備える無停電電源装置の出力系統からの出力の測定結果を出力系統毎に分けて表示する表示手段を備える。
【００３６】
本発明の第２の側面においては、複数の出力系統を備える無停電電源装置であって、それぞれの出力系統において、出力系統からの出力を測定する測定手段と、出力系統からの出力をオンまたはオフする開閉手段とを備える無停電電源装置の出力系統からの出力の測定結果が出力系統毎に分けて表示される。
【００３７】
従って、簡単に無停電電源装置に接続されている負荷装置の消費電力を出力系統毎に把握することができる。その結果、無停電電源装置から複数の負荷装置への給電をより適切に行うことができる。
【００３８】
この測定手段は、例えば、電力測定回路や電力測定器により構成される。また、この開閉手段は、例えば、スイッチ、リレー、コンタクタなどの開閉機器により構成される。さらに、この情報処理装置は、例えば、コンピュータにより構成される。また、この表示手段は、例えば、LCD（Liquid Crystal Display）、PDP（Plasma Display Panel）などの表示装置により構成される。
【００３９】
本発明の第３の無停電電源システムは、複数の出力系統を備える無停電電源装置、および、情報処理装置を備える無停電電源管理システムであって、無停電電源装置は、それぞれの出力系統において、出力系統からの出力を測定する測定手段と、出力系統からの出力をオンまたはオフする開閉手段とを備え、情報処理装置は、無停電電源装置の出力系統からの出力の測定結果を出力系統毎に分けて表示する表示手段を備える。
【００４０】
本発明の第３の側面においては、無停電電源装置の各出力系統からの出力が測定され、各出力系統からの出力がオンまたはオフされ、無停電電源装置の出力系統からの出力の測定結果が出力系統毎に分けて表示される。
【００４１】
従って、簡単に無停電電源装置に接続されている負荷装置の消費電力を出力系統毎に把握することができるとともに、各負荷装置への給電を出力系統毎に制御することができる。その結果、無停電電源装置から複数の負荷装置への給電をより適切に行うことができる。
【００４２】
この測定手段は、例えば、電力測定回路や電力測定器により構成される。また、この開閉手段は、例えば、スイッチ、リレー、コンタクタなどの開閉機器により構成される。さらに、この情報処理装置は、例えば、コンピュータにより構成される。また、この表示手段は、例えば、LCD（Liquid Crystal Display）、PDP（Plasma Display Panel）などの表示装置により構成される。
【発明の効果】
【００４３】
本発明の第１乃至第３の側面によれば、無停電電源装置から複数の負荷装置への給電をより適切に行うことができる。
【発明を実施するための最良の形態】
【００４４】
以下、図を参照して、本発明の実施の形態について説明する。
【００４５】
図２は、本発明を適用した情報処理システムの一実施の形態を示すブロック図である。
【００４６】
図２の情報処理システム１０１は、UPS１１１Ａ乃至１１１Ｃ、各種の電気機器により構成される負荷装置１１２Ａ１乃至１１２Ｃ３、および、情報処理装置１１３を含むように構成される。UPS１１１Ａ乃至１１１Ｃは、図示せぬ交流電源に接続されている。また、負荷装置１１２Ａ１乃至１１２Ａ３はUPS１１１Ａに接続され、負荷装置１１２Ｂ１乃至１１２Ｂ３はUPS１１１Ｂに接続され、負荷装置１１２Ｃ１乃至１１２Ｃ３はUPS１１１Ｃに接続されている。さらに、UPS１１１Ａ乃至１１１Ｃは、それぞれ情報処理装置１１３に接続されている。
【００４７】
なお、以下、UPS１１１Ａ乃至１１１Ｃを個々に区別する必要がない場合、単に、UPS１１１と称する。また、以下、負荷装置１１２Ａ１乃至１１２Ｃ３を個々に区別する必要がない場合、単に、負荷装置１１２と称する。
【００４８】
ここで、UPS１１１Ａの構成について説明する。UPS１１１Ａは、電力供給回路１２１Ａ、３つの出力系統１２２Ａ１乃至１２２Ａ３、制御部１２３Ａ、および、通信インタフェース（I/F）１２４Ａを含むように構成される。また、出力系統１２２Ａ１は、電力測定回路１３１Ａ１、スイッチ１３２Ａ１および出力端子１３３Ａ１を備え、出力系統１２２Ａ２は、電力測定回路１３１Ａ２、スイッチ１３２Ａ２および出力端子１３３Ａ２を備え、出力系統１２２Ａ３は、電力測定回路１３１Ａ３、スイッチ１３２Ａ３および出力端子１３３Ａ３を備えている。さらに、出力系統１２２Ａ１の出力端子１３３Ａ１には、負荷装置１１２Ａ１が接続され、出力系統１２２Ａ２の出力端子１３３Ａ２には、負荷装置１１２Ａ２が接続され、出力系統１２２Ａ３の出力端子１３３Ａ３には、負荷装置１１２Ａ３が接続されている。
【００４９】
電力供給回路１２１Ａは、UPS１１１Ａの本体部であり、制御部１２３Ａの制御の基に、負荷装置１１２Ａ１乃至１１２Ａ３への給電を行う。なお、電力供給回路１２１Ａの給電方式は、特定の方式に限定されるものではなく、例えば、常時商用給電方式、ラインインタラクティブ給電方式、常時インバータ給電方式などを採用することが可能である。
【００５０】
例えば、常時商用給電方式を採用した場合、交流電源から正常に電力が供給されているとき、電力供給回路１２１Ａは、出力系統１２２Ａ１乃至１２２Ａ３を介して、交流電源からの電力（以下、入力電力と称する）をそのまま負荷装置１１２Ａ１乃至１１２Ａ３に供給する。また、電力供給回路１２１Ａは、入力電力を用いて充電器（不図示）により内蔵するバッテリ（不図示）の充電を行う。一方、停電や入力電圧の異常（電圧低下または上昇）などの入力電力の異常が発生したとき、電力供給回路１２１Ａは、バッテリに蓄積されている電力を、インバータ（不図示）により交流に変換し、出力系統１２２Ａ１乃至１２２Ａ３を介して負荷装置１１２Ａ１乃至１１２Ａ３に供給する。
【００５１】
また、ラインインタラクティブ方式を採用した場合、入力電力が正常であるとき、電力供給回路１２１Ａは、常時商用給電方式を採用した場合と同様に、出力系統１２２Ａ１乃至１２２Ａ３を介して、入力電力をそのまま負荷装置１１２Ａ１乃至１１２Ａ３に供給するとともに、入力電力を用いて充電器により内蔵するバッテリの充電を行う。一方、停電が発生したとき、電力供給回路１２１Ａは、バッテリに蓄積されている電力を、インバータにより交流に変換し、出力系統１２２Ａ１乃至１２２Ａ３を介して負荷装置１１２Ａ１乃至１１２Ａ３に供給する。また、入力電圧の異常が発生したとき、電力供給回路１２１Ａは、昇圧または降圧を行い、入力電圧を正常な値に補正した後、出力系統１２２Ａ１乃至１２２Ａ３を介して負荷装置１１２Ａ１乃至１１２Ａ３に、電圧を補正した後の入力電力を供給する。
【００５２】
さらに、常時インバータ給電方式を採用した場合、入力電力が正常であるとき、電力供給回路１２１Ａは、入力電力をコンバータ（不図示）によりいったん直流に変換した後、インバータにより交流に変換し、インバータから出力される電力を、出力系統１２２Ａ１乃至１２２Ａ３を介して負荷装置１１２Ａ１乃至１１２Ａ３に供給する。また、電力供給回路１２１Ａは、コンバータから出力される直流の電力を用いて内蔵するバッテリの充電を行う。一方、入力電力に異常が発生したとき、電力供給回路１２１Ａは、常時商用給電方式を採用した場合と同様に、バッテリに蓄積されている電力を、インバータにより交流に変換し、出力系統１２２Ａ１乃至１２２Ａ３を介して負荷装置１１２Ａ１乃至１１２Ａ３に供給する。
【００５３】
なお、以下、給電方式の違いに関わらず、電力供給回路１２１Ａが、バッテリに蓄積されている電力を用いて負荷装置１１２Ａ１乃至１１２Ａ３に給電することを、バックアップ給電と称し、入力電力を用いて負荷装置１１２Ａ１乃至１１２Ａ３に給電することを、通常給電と称する。
【００５４】
電力測定回路１３１Ａ１は、スイッチ１３２Ａ１および出力端子１３３Ａ１を介して、負荷装置１１２Ａ１に供給される出力系統１２２Ａ１の出力電力の状態（例えば、電力量、電圧、電流、周波数など）の測定を行い、測定結果を示す情報を制御部１２３Ａに供給する。同様に、電力測定回路１３１Ａ２は、出力系統１２２Ａ２の出力電力の状態の測定を行い、測定結果を示す情報を制御部１２３Ａに供給し、電力測定回路１３１Ａ３は、出力系統１２２Ａ３の出力電力の状態の測定を行い、測定結果を示す情報を制御部１２３Ａに供給する。
【００５５】
スイッチ１３２Ａ１は、制御部１２３Ａの制御の基に、または、ユーザによる操作により、オンまたはオフされ、その結果、出力系統１２２Ａ１からの出力がオンまたはオフされる。同様に、スイッチ１３２Ａ２は、制御部１２３Ａの制御の基に、または、ユーザによる操作により、オンまたはオフされ、その結果、出力系統１２２Ａ２からの出力がオンまたはオフされ、スイッチ１３２Ａ３は、制御部１２３Ａの制御の基に、または、ユーザによる操作により、オンまたはオフされ、その結果、出力系統１２２Ａ３からの出力がオンまたはオフされる。
【００５６】
出力端子１３３Ａ１乃至１３３Ａ３は、例えば、コンセント（英語でoutlet）により構成される。そして、出力端子１３３Ａ１には、負荷装置１１２Ａ１の電源コネクタが接続され、出力端子１３３Ａ２には、負荷装置１１２Ａ２の電源コネクタが接続され、出力端子１３３Ａ３には、負荷装置１１２Ａ３の電源コネクタが接続されている。
【００５７】
なお、出力系統１２２Ａ１乃至１２２Ａ３に設けられる出力端子の数は、１個に限定されるものではなく、２個以上としてもよい。例えば、出力系統１２２Ａ１に複数の出力端子を設けた場合、スイッチ１３２Ａ１をオンまたはオフすることにより、それらの出力端子からの出力を一斉にオンまたはオフすることができる。
【００５８】
制御部１２３Ａは、例えば、CPU（Central Processing Unit）などの演算装置により構成される。制御部１２３Ａは、入力電力の状態（例えば、電力量、電圧、電流、周波数など）を示す情報、および、電力供給回路１２１Ａの状態（例えば、稼動状態など）を示す情報を電力供給回路１２１Ａから取得する。また、制御部１２３Ａは、出力系統１２２Ａ１乃至１２２Ａ３からの出力電力の状態を示す情報を、電力測定回路１３１Ａ１乃至１３１Ａ３から取得する。さらに、制御部１２３Ａは、図示せぬ入力装置を介してユーザにより入力されたり、通信インタフェース１２４Ａを介して情報処理装置１１３から入力される、UPS１１１Ａの各種の設定値（例えば、出力電圧、停電検出感度など）を示す情報を取得する。そして、制御部１２３Ａは、入力電力および出力電力の状態、並びに、取得した設定値に基づいて、電力供給回路１２１Ａの起動および停止、並びに、スイッチ１３２Ａ１乃至１３２Ａ３のオンおよびオフを制御し、負荷装置１１２Ａ１乃至１１２Ａ３への給電の開始および停止を個別に制御する。
【００５９】
また、制御部１２３Ａは、図示せぬ入力装置を介してユーザにより入力される指令、または、通信インタフェース１２４Ａを介して情報処理装置１１３から入力される指令に従って、電力供給回路１２１Ａの起動および停止、並びに、スイッチ１３２Ａ１乃至１３２Ａ３のオンおよびオフを制御することにより、負荷装置１１２Ａ１乃至１１２Ａ３への給電の開始および停止を個別に制御する。
【００６０】
さらに、制御部１２３Ａは、入力電力および出力電力の状態、並びに、電力供給回路１２１Ａの状態を示す情報を、通信インタフェース１２４Ａを介して情報処理装置１１３に供給する。
【００６１】
なお、以下、負荷装置１１２Ａ１乃至１１２Ａ３を個々に区別する必要がない場合、単に、負荷装置１１２Ａと称する。また、以下、出力系統１２２Ａ１乃至１２２Ａ３を個々に区別する必要がない場合、単に出力系統１２２Ａと称する。さらに、以下、電力測定回路１３１Ａ１乃至１３１Ａ３を個々に区別する必要がない場合、単に、電力測定回路１３１Ａと称する。また、以下、スイッチ１３２Ａ１乃至１３２Ａ３を個々に区別する必要がない場合、単に、スイッチ１３２Ａと称する。さらに、以下、出力端子１３３Ａ１乃至１３３Ａ３を個々に区別する必要がない場合、単位、出力端子１３３Ａと称する。
【００６２】
なお、UPS１１１ＢおよびUPS１１１Ｃも、UPS１１１Ａと同様の構成を有しており、その説明は繰り返しになるので省略する。
【００６３】
情報処理装置１１３は、例えば、コンピュータにより構成される。情報処理装置１１３は、UPS１１１Ａ乃至１１１Ｃの各種の設定項目の設定を行ったり、UPS１１１Ａ乃至１１１Ｃに起動または停止の指令を与えたりする。また、情報処理装置１１３は、UPS１１１Ａ乃至１１１Ｃの状態、入力電力、および、出力電力を監視し、監視結果をユーザに通知する。
【００６４】
また、情報処理装置１１３は、ユーザによる設定などに基づいて、負荷装置１１２Ａ１乃至１１２Ｃ３のうち電源をオフするときにシャットダウン処理を行う必要がある装置に対して、所定のタイミングでシャットダウンの実行を指令する。
【００６５】
なお、図２の情報処理システム１０１における各装置の数は、その一例であり、それぞれ装置の数を増やしたり、減らしたりすることが可能である。また、図２の情報処理システム１０１における各UPS１１１の出力系統の数、および、各UPS１１１に接続される負荷装置の数も、その一例であり、それぞれ増やしたり、減らしたりすることが可能である。さらに、UPS１１１ごとに、出力系統の数や接続する負荷装置の数が異なる構成とすることも可能である。
【００６６】
図３は、UPS１１１Ａの制御部１２３Ａにより実現される機能の構成の一例を示すブロック図である。制御部１２３Ａは、監視部１５１、電力供給制御部１５２、出力制御部１５３、記憶部１５４、および、データ生成部１５５を含むように構成される。
【００６７】
監視部１５１は、電力供給回路１２１Ａから入力電力の状態を示す情報を取得し、電力測定回路１３１Ａ１乃至１３１Ａ３から出力電力の状態を示す情報を取得し、UPS１１１Ａの入力および出力の状態を監視する。また、監視部１５１は、UPS１１１Ａの入力の監視結果を示す情報を電力供給制御部１５２に通知し、UPS１１１Ａの出力の監視結果を示す情報を電力供給制御部１５２および出力制御部１５３に通知する。さらに、監視部１５１は、UPS１１１Ａの入力および出力の監視結果を記憶部１５４に記憶させる。
【００６８】
電力供給制御部１５２は、UPS１１１Ａの入力および出力の監視結果、図示せぬ入力装置を介して入力されるユーザからの指令、並びに、通信インタフェース１２４Ａを介して入力される情報処理装置１１３からの指令に基づいて、電力供給回路１２１Ａの動作を制御する。例えば、電力供給制御部１５２は、入力の異常が検出された場合、電力供給回路１２１Ａを通常給電からバックアップ給電に切り替え、入力の異常が解消された場合、電力供給回路１２１Ａをバックアップ給電から通常給電に切り替える。また、電力供給制御部１５２は、電力供給回路１２１Ａのバッテリの放電が終了した場合、電力供給回路１２１Ａを停止する。さらに、電力供給制御部１５２は、ユーザまたは情報処理装置１３からの指令に従って、電力供給回路１２１Ａを起動したり、停止したりする。
【００６９】
また、電力供給制御部１５２は、電力供給回路１２１Ａの状態（例えば、起動、停止など）を示す情報を出力制御部１５３に供給したり、通信インタフェース１２４Ａを介して情報処理装置１１３に供給したりする。さらに、電力供給制御部１５２は、電力供給回路１２１Ａの状態の履歴を記憶部１５４に記憶させる。
【００７０】
出力制御部１５３は、UPS１１１Ａの出力の監視結果、電力供給回路１２１Ａの状態、図示せぬ入力装置を介して入力されるユーザからの指令、並びに、通信インタフェース１２４Ａを介して入力される情報処理装置１１３からの指令に基づいて、スイッチ１３２Ａ１乃至１３２Ａ３のオンおよびオフ、換言すれば、スイッチ１３２Ａ１乃至１３２Ａ３の開閉を個別に制御する。
【００７１】
例えば、出力制御部１５３は、ユーザまたは情報処理装置１１３からの指令に従って、スイッチ１３２Ａ１乃至１３２Ａ３を個別にオンしたり、オフしたりする。これにより、UPS１１１Ａからの電力の出力の有無を、出力系統１２２Ａごとに個別に設定することができ、無駄な消費電力を抑えることができる。なお、スイッチ１３２Ａ１乃至１３２Ａ３は、出力制御部１５３を介さずに、ユーザが直接操作してオンおよびオフさせることも可能である。
【００７２】
また、例えば、出力制御部１５３は、出力の異常が検出された場合、出力の異常が検出された出力系統１２２Ａのスイッチ１３２Ａをオフにする（スイッチ１３２Ａを開く）。これにより、正常に稼動している負荷装置１１２Ａへの給電を継続したまま、短絡などの異常が発生した負荷装置１１２Ａへの給電を停止し、電力供給回路１２１Ａを保護することができる。
【００７３】
なお、出力の異常を検出した場合に、出力の異常が検出された出力系統１２２Ａのスイッチ１３２Ａを自動的にオフするか否かの設定を、ユーザが選択できるようにしてもよい。また、出力制御部１５３ではなく、情報処理装置１１３からの指令により、出力の異常が検出された出力系統１２２Ａのスイッチ１３２Ａをオフにするようにしてもよい。
【００７４】
さらに、例えば、出力制御部１５３は、UPS１１１Ａの起動時に、電力供給回路１２１Ａが起動された後、スイッチ１３２Ａ１乃至１３２Ａ３をオンにする。このとき、例えば、負荷装置１１２Ａが出力端子１３３Ａに接続されている出力系統１２２Ａのスイッチ１３２Ａのみをオンするようにしてもよい。
【００７５】
また、出力制御部１５３は、スイッチ１３２Ａの状態を示す情報を、電力供給制御部１５２に供給したり、通信インタフェース１２４Ａを介して情報処理装置１１３に供給したりする。さらに、出力制御部１５３は、スイッチ１３２Ａの状態の履歴を記憶部１５４に記憶させる。
【００７６】
記憶部１５４は、例えば、フラッシュメモリ、EEPROM（Electrically Erasable and Programmable Read Only Memory）、HDD（Hard Disk Drive）などの不揮発性の記憶媒体により構成される。
【００７７】
データ生成部１５５は、記憶部１５４に記憶されている、UPS１１１Ａの入力および出力の監視結果、電力供給回路１２１Ａの状態、並びに、スイッチ１３２Ａの状態の履歴に基づいて、各種の分析データを生成する。データ生成部１５５は、生成した分析データを、通信インタフェース１２４Ａを介して情報処理装置１１３に供給する。情報処理装置１１３は、例えば、所定のアプリケーションプログラムを実行することにより、取得した分析データを示す画面を図示せぬモニタに表示する。
【００７８】
なお、UPS１１１Ｂの制御部１２３ＢおよびUPS１１１Ｃの制御部１２３Ｃも、UPS１１１Ａの制御部１２３Ａと同様の機能を有しており、その説明は繰り返しになるので省略する。
【００７９】
次に、各UPS１１１の出力の監視結果に基づいて、情報処理装置１１３により表示される画面の一例について説明する。
【００８０】
図４は、UPS１１１の出力の監視結果を２４時間単位（１日単位）で表示する場合の画面の一例を示している。
【００８１】
領域２０１には、UPS１１１の出力の監視結果を２４時間単位で表示していること、および、監視結果を表示する対象となっている日付が表示される。
【００８２】
領域２０２には、監視結果を表示する対象となっているUPS１１１の識別子（例えば、装置番号など）が表示される。なお、以下、図４および後述する図５において、UPS１１１Ａの出力の監視結果が表示されているものとして説明する。また、図４および図５において、出力系統１２２Ａ１乃至１２２Ａ３は、それぞれ出力１乃至３として表示されている。
【００８３】
グラフ２０３乃至２０５には、電力測定回路１３１Ａ１乃至１３１Ａ３による、UPS１１１Ａの各出力系統１２２Ａからの出力の測定結果が、出力系統１２２Ａ毎に分けて表示されている。具体的には、グラフ２０３は、UPS１１１Ａの出力系統１２２Ａ１の１分毎の出力電力量の推移、すなわち、負荷装置１１２Ａ１の１分毎の消費電力量の推移を示している。なお、グラフ２０３の横軸は時刻を示し、縦軸は消費電力量（単位はWh）を示している。また、グラフ２０３において、負荷装置１１２Ａ１の消費電力量の正常な範囲の上限値が線LU１により示され、下限値が線LL１により示されている。これにより、ユーザは、負荷装置１１２Ａ１の消費電力量が正常に推移しているか否かを一目で把握することができる。
【００８４】
同様に、グラフ２０４は、UPS１１１Ａの出力系統１２２Ａ２の１分毎の出力電力量の推移、すなわち、負荷装置１１２Ａ２の１分毎の消費電力量の推移を示し、グラフ２０５は、UPS１１１Ａの出力系統１２２Ａ３の１分毎の出力電力量の推移、すなわち、負荷装置１１２Ａ３の１分毎の消費電力量の推移を示している。
【００８５】
また、グラフ２０６は、UPS１１１Ａの出力系統１２２Ａ１乃至１２２Ａ３の１分毎の出力電力量の合計値の推移、すなわち、負荷装置１１２Ａ１乃至１１２Ａ３の１分毎の消費電力量の合計値の推移を示している。
【００８６】
なお、グラフ２０４乃至２０６において、線LU２乃至LU４は、グラフ２０３の線LU１と同様に、消費電力量の正常な範囲の上限値を示し、線LL２乃至LL４は、グラフ２０３の線LL１と同様に、消費電力量の正常な範囲の下限値を示している。また、グラフ２０３乃至２０６において、消費電力量が正常な範囲から外れた付近において、例えば、グラフ２０４に示されるように、「異常」の文字を表示することにより、ユーザに対する警告が行われる。
【００８７】
なお、各負荷装置１１２の１分あたりの消費電力量、および、その合計値の正常な範囲の上限値および下限値は、ユーザが任意に設定することが可能である。
【００８８】
表２０７は、各出力系統１２２Ａの出力電力量の最大値、および、各出力系統１２２Ａの出力電力量の合計値の最大値と、その発生時刻を示している。また、表２０７において、各出力電力量およびその合計値の最大値について、その値が正常な範囲を外れている場合、正常な範囲を外れている値の横に「異常」の文字を表示することにより、ユーザに対する警告が行われる。
【００８９】
ユーザは、図４の画面において、監視結果を表示させる日付を任意に設定することができ、所望の日付のUPS１１１の出力の推移を簡単に確認することができる。このとき、ユーザは、現在の日付を設定することにより、UPS１１１の出力をリアルタイムに監視することができる。また、ユーザは、図４の画面において、監視結果を表示させる対象となるUPS１１１を任意に選択することができる。
【００９０】
図５は、UPS１１１の出力の監視結果を１ヶ月単位で表示する場合の画面の一例を示している。
【００９１】
領域２５１には、UPS１１１の出力の監視結果を１ヶ月単位で表示していること、および、監視結果を表示する対象となっている月が表示される。
【００９２】
領域２５２は、図４の領域２０２と同様に、監視結果を表示する対象となっているUPS１１１の識別子が表示される。
【００９３】
グラフ２５３乃至２５５には、電力測定回路１３１Ａ１乃至１３１Ａ３による、UPS１１１Ａの各出力系統１２２Ａからの出力の測定結果が、出力系統１２２Ａ毎に分けて表示されている。具体的には、グラフ２５３は、UPS１１１Ａの出力系統１２２Ａ１の１日あたりの出力電力量の推移、すなわち、負荷装置１１２Ａ１の１日あたりの消費電力量の推移を示している。なお、グラフ２５３の横軸は日付を示し、縦軸は消費電力量（単位はWh）を示している。また、グラフ２５３において、負荷装置１の消費電力量の正常な範囲の上限値が線LU１１により示され、下限値が線LL１１により示されている。これにより、ユーザは、負荷装置１１２Ａ１の消費電力量が正常に推移しているか否かを一目で把握することができる。
【００９４】
同様に、グラフ２５４は、UPS１１１Ａの出力系統１２２Ａ２の１日あたりの出力電力量の推移、すなわち、負荷装置１１２Ａ２の１日あたりの消費電力量の推移を示し、グラフ２５５は、UPS１１１Ａの出力系統１２２Ａ３の１日あたりの出力電力量の推移、すなわち、負荷装置１１２Ａ３の１日あたりの消費電力量の推移を示している。
【００９５】
また、グラフ２５６は、UPS１１１Ａの出力系統１２２Ａ１乃至１２２Ａ３の１日あたりの出力電力量の合計値の推移、すなわち、負荷装置１１２Ａ１乃至１１２Ａ３の１日あたりの消費電力量の合計値の推移を示している。
【００９６】
なお、グラフ２５４乃至２５６において、線LU１２乃至LU１４は、グラフ２５３の線LU１１と同様に、消費電力量の正常な範囲の上限値を示し、線LL１２乃至LL１４は、グラフ２５３の線LL１１と同様に、消費電力量の正常な範囲の下限値を示している。また、図５では例示されていないが、図４のグラフ２０４と同様に、グラフ２５３乃至２５６において、消費電力量が正常な範囲から外れた付近において、「異常」の文字を表示することにより、ユーザに対する警告が行われる。
【００９７】
なお、各負荷装置１１２の１日あたりの消費電力量、および、その合計値の正常な範囲の上限値および下限値は、ユーザが任意に設定することが可能である。
【００９８】
表２５７は、各出力系統１２２Ａの１日あたりの出力電力量の最大値、および、各出力系統１２２Ａの１日あたりの出力電力量の合計値の最大値と、その発生日を示している。また、図５では例示されていないが、図４の表２５７と同様に、表２５７において、各出力電力量およびその合計値の最大値について、それらの値が正常な範囲を外れている場合、正常な範囲を外れている値の横に「異常」の文字を表示することにより、ユーザに対する警告が行われる。
【００９９】
ユーザは、図５の画面において、監視結果を表示させる月を任意に設定することができ、所望の月のUPS１１１の出力の推移を簡単に確認することができる。また、ユーザは、図５の画面において、監視結果を表示させる対象となるUPS１１１を任意に選択することができる。
【０１００】
また、ユーザは、図４および図５の画面を切り替えることにより、指定した時間単位でUPS１１１の出力の推移を簡単に確認することができる。なお、上述した２４時間および１ヶ月以外の時間単位で、UPS１１１の出力の監視結果を表示できるようにしてもよい。また、図４および図５の画面を、各UPS１１１に設けられている表示装置（不図示）において表示するようにしてもよい。
【０１０１】
なお、図３の記憶部１５４およびデータ生成部１５５の機能を、UPS１１１ではなく情報処理装置１１３に設けるようにしてもよい。この場合、UPS１１１Ａの入力および出力の監視結果、電力供給回路１２１Ａ乃至１２１Ｃの状態、並びに、スイッチ１３２Ａ１乃至１３２Ｃ３の状態の履歴が、UPS１１１Ａ乃至１１１Ｃから情報処理装置１１３に逐次送信され、情報処理装置１１３において、上述した履歴の記憶、UPS１１１の各種データの分析、および、分析データの生成が行われる。
【０１０２】
また、各UPS１１１のデータ生成部１５５が、図４および図５のような分析データを表示する画面のデータを生成し、UPS１１１の表示装置または情報処理装置１１３の表示装置（不図示）の表示を制御するようにしてもよい。
【０１０３】
さらに、各UPS１１１のデータ生成部１５５が、図４および図５に示されるようなグラフや表などからなる分析データを生成し、生成した分析データを、情報処理装置１１３など外部に出力するようにしてもよい。この場合、個々のグラフや表を、別々のデータとして生成するようにしてもよいし、１つのデータとしてまとめて生成するようにしてもよい。
【０１０４】
以上のようにして、専用の装置を設置することなく、UPS１１１の出力系統毎に個別に出力のオンまたはオフを設定することができる。その結果、UPS１１１から各負荷装置１１２への給電をより適切に行うことができ、無駄な消費電力を抑えることができる。
【０１０５】
また、UPS１１１の出力の監視結果を出力系統毎に簡単に確認でき、UPS１１１に接続されている個々の負荷装置１１２の消費電力を簡単に把握することができる。これにより、例えば、個々の消費電力に基づいた負荷装置１１２のオンおよびオフの制御を実行することにより、無駄な消費電力を削減することができる。また、日々の改善努力の結果を数値化して確認することができ、省電力化の推進への動機付けとすることができる。さらに、各負荷装置１１２の消費電力の異常を迅速かつ容易に把握でき、各負荷装置１１２の異常を早期に発見することができる。
【０１０６】
なお、本明細書において、システムの用語は、複数の装置、手段などより構成される全体的な装置を意味するものとする。
【０１０７】
また、本発明の実施の形態は、上述した実施の形態に限定されるものではなく、本発明の要旨を逸脱しない範囲において種々の変更が可能である。
【図面の簡単な説明】
【０１０８】
【図１】従来の情報処理システムの構成の一例を示すブロック図である。
【図２】本発明を適用した情報処理システムの一実施の形態を示すブロック図である。
【図３】UPSの制御部により実現される機能の構成の例を示すブロック図である。
【図４】UPSの出力の監視結果を２４時間単位で表示する画面の一例を示す図である。
【図５】UPSの出力の監視結果を１ヶ月単位で表示する画面の一例を示す図である。
【符号の説明】
【０１０９】
１０１  情報処理システム
１１１Ａ乃至１１１Ｃ  UPS
１１２Ａ１乃至１１２Ｃ３  負荷装置
１１３  情報処理装置
１２１Ａ乃至１２１Ｃ  電力供給回路
１２２Ａ乃至１２２Ｃ  出力系統
１２３Ａ乃至１２３Ｃ  制御部
１２４Ａ乃至１２４Ｃ  通信インタフェース
１３１Ａ１乃至１３１Ｃ３  電力測定回路
１３２Ａ１乃至１３２Ｃ３  スイッチ
１３３Ａ１乃至１３３Ｃ３  出力端子
１５１  監視部
１５２  電力供給制御部
１５３  出力制御部
１５４  記憶部
１５５  データ生成部
【図１】
2010088170.tif 000003
【図２】
2010088170.tif 000004
【図３】
2010088170.tif 000005
【図４】
2010088170.tif 000006
【図５】
2010088170.tif 000007